(57)【特許請求の範囲】
【請求項１】
揮散剤を内容物として充填した内ケースと、この内ケースを着脱可能に収納する外ケースとを備えた揮散装填容器であって、
前記外ケースが、前記内ケースを載置する底壁と、この底壁の縁部において立ち上がり前記内ケースの周りを取り囲んでその内側に該内ケースの収納空間を区画形成する周壁とからなり、
前記周壁が、前記収納空間を挟んで向かい合う一対の前後壁部と、この前後壁部を左右においてそれぞれ相互につなぐ一対の側壁部と、前記前後壁部及び前記側壁部の突端部にて前記内ケースの出し入れ口を形成する開口部とを備え、
前記前後壁部の突端部に、前記収納空間内に収納した内ケースの天壁に連係して該内ケースの前記開口部からの抜け出しを防止し、かつ、前記側壁部の押し込みによる前記前後壁部の弾性変形にて後退移動させて前記開口部からの前記内ケースの取り出しを可能とする係止リブを設けたことを特徴とする揮散剤容器。
【請求項２】
前記周壁に、前記上部開放端から前記底壁に向けて切り欠いて前記前後壁部と前記側壁部とを隙間を隔てて区分するスリットを設け、
前記側壁部の、前記スリットによる切欠端面に、前記側壁部の押し込みの際に前記前後壁部の各内側壁に差し込んで前後壁部を相互に離間させる先端先細り形状をなす楔部材を設けた請求項１記載の揮散剤容器。
【請求項３】
前記楔部材が、前記内ケースの外側壁に沿った内辺と前記前後壁部のそれぞれの内側壁に当接する傾斜辺とを有する、請求項１又は２記載の揮散剤容器。
【請求項４】
前記前後壁部に、前記内ケースから揮散した内容物の揮散成分を通過させる窓孔を設けた、請求項１〜３の何れかに記載の揮散剤容器。
【請求項５】
前記内ケースが、レフィル容器である、請求項１〜４の何れかに記載の揮散剤容器。
【発明の詳細な説明】
【技術分野】
【０００１】
本発明は、揮散成分を含む芳香剤や防虫剤等を内容物として装填しておくのに有用な揮散剤容器に関するものであり、簡便な操作のもとで容器の取替えを行うとするものである。
【背景技術】
【０００２】
芳香剤等の揮散剤を内容物して装填した容器は、とくに内容物が液状のものにあっては容器の口部に揮散器を取り付け、該揮散器を通して内容物を揮散させるようにしているのが普通であり（例えば、特許文献１参照）、内容物を使いきったのちの詰替えにおいては、該揮散器の取り外しと取り付けを行うめんどうな作業が必要になっていた。近年、この種の揮散剤容器としては、その取り扱いが比較的容易なことから、内容物として液状のものからゲル状タイプのものへと移行されつつあるものの、かかる内容物を充填した容器（レフィル容器）についても内容物を使いきったのちにはそれそのものの取替えが必要であり、何れにおいても、内容物の詰め替えあるいは容器の取替えにかかる作業のより一層の簡素化が求められていた。
【先行技術文献】
【特許文献】
【０００３】
【特許文献１】特開２００５−１３１０２１号公報
【発明の概要】
【発明が解決しようとする課題】
【０００４】
本発明の課題は、とくに、新しい内容物が充填された容器を簡便な操作のもとで取替えできる構造の簡素化された揮散剤容器を提案するところにある。
【課題を解決するための手段】
【０００５】
本発明は、揮散剤を内容物として充填した内ケースと、この内ケースを着脱可能に収納する外ケースとを備えた揮散装填容器であって、
前記外ケースが、前記内ケースを載置する底壁と、この底壁の縁部において立ち上がり前記内ケースの周りを取り囲んでその内側に該内ケースの収納空間を区画形成する周壁とからなり、
前記周壁が、前記収納空間を挟んで向かい合う一対の前後壁部と、この前後壁部を左右においてそれぞれ相互につなぐ一対の側壁部と、前記前後壁部及び前記側壁部の突端部にて前記内ケースの出し入れ口を形成する開口部とを備え、
前記前後壁部の突端部に、前記収納空間内に収納した内ケースの天壁に連係（当接）して該内ケースの前記開口部からの抜け出しを防止し、かつ、前記側壁部の押し込みによる前記前後壁部の弾性変形にて後退移動させて前記開口部からの前記内ケースの取り出しを可能とする係止リブを設けたことを特徴とする揮散剤容器である。
【０００６】
上記の構成からなる揮散剤容器において、周壁に、前記上部開放端から前記底壁に向けて切り欠いて前記前後壁部と前記側壁部とを隙間を隔てて区分するスリットを設け、
前記側壁部の、前記スリットによる切欠端面に、前記側壁部の押し込みの際に前記前後壁部の各内側壁部に差し込んで前後壁部を相互に離間させる先端先細り形状をなす楔部材を設けることができる。
【０００７】
また、楔部材としては、前記内ケースの外側壁に沿った内辺と前記前後壁部のそれぞれの内側壁部に当接する傾斜辺とを有するものがとくに有利に適合する。
【０００８】
前記前後壁部には、前記内ケースから揮散した内容物の揮散成分を通過させる窓孔を設けるのが望ましく、内ケースとしては、それそのものをそっくり取替えることができるレフィル容器とするのがよい。
【発明の効果】
【０００９】
外ケースの側壁部を押し込んで前後壁部を外側に向けて弾性変形させると該前後壁部の相互間隔が広がるため抜け出し防止の係止リブが後退移動して内ケースとの連係が解除され開口部からの内ケースの出し入れが可能となる。また、外ケースの側壁部の押し込みを止めることで該前後壁部が元の形状に復元して該抜け出し防止リブが内ケースの天壁に位置して内ケースの、外ケースからの抜け出しが不能となる。
【００１０】
周壁に、上部開放端から前記底壁に向けて切り欠いて前記前後壁部と前記側壁部とを隙間を隔てて区分するスリットを設け、側壁部の、スリットによる切欠端面に、前記側壁部の押し込みの際に前記前後壁部の各内側壁部に差し込んで前後壁部を相互に離間させる先端先細り形状をなす楔部材を設けることにより、より小さな力で前後壁部を弾性変形させることが可能となる。とくに、前後壁部の内側壁に接触する部位に傾斜を設けておくことで前後壁部が相互に離隔する際の寸法の調整が容易となる。
【００１１】
前後壁部に、前記内ケースから揮散した内容物の揮散成分を通過させる窓孔を設けておくことで内容物の揮散領域の拡大を図ることが可能（揮散量を多くできる。）になるとともに、前後壁部を小さな力で弾性変形させることができ、内ケースの取替えがより一層容易となる。
【図面の簡単な説明】
【００１２】
【図１】本発明にしたがう揮散剤容器の実施の形態を示した外観斜視図である。
【図２】図１に示した揮散剤容器の内ケースを示した外観斜視図である。
【図３】図１に示した揮散剤容器につき、内ケースの取替え状況を示した図である。
【図４】本発明にしたがう揮散剤容器の他の実施の形態を示した外観斜視図である。
【図５】図４の要部を拡大して示した図である。
【発明を実施するための形態】
【００１３】
以下、図面を参照して本発明をより具体的に説明する。
図１〜３は、本発明にしたがう揮散剤容器の実施の形態を示した図であり、図１は外観斜視図、図２は、内ケースの外観斜視図、図３は、前後壁部を弾性変形させて内ケースの取り付け、取り外し状態を示した図である。
【００１４】
図における１は、揮散剤を内容物として充填する合成樹脂製の内ケースである。この内ケース１は内容物を使いきったのちに内容物が収納されている新しい内ケースに取替えることで外ケースを再利用するレフィル容器として用いられるものであり、該内ケース１の壁部には、内容物に含まれる揮散成分を通過させる複数の揮散孔１ａが形成されていて、内ケース１の開封前（流通段階）においては図２に示すように、揮散孔１ａを覆うように貼着されたシール用のフィルム１ｂが貼着され、該フィルム１ｂを引き剥がすことにより内容物の揮散が可能になっている。
【００１５】
内ケース１は、開口端を有し周壁と底壁とによって取り囲まれた空間を、内容物の充填空間とする容器本体（インジェクションによって成形された薄肉の成形体等が適用される。）と、該開口端を密封する蓋体からからなる２パーツにて構成することができるものであって、該蓋体については、揮散孔１ａを有するフィルムと、このフィルムに引き剥がし可能にフィルムを貼着した二重フィルムを適用することができる。
【００１６】
また、２は、内ケース１を着脱可能に収納する合成樹脂製の外ケースである。外ケース２は、内ケース１を収納する収納空間Mを有しており、内ケース１を載置する底壁２ａと、この底壁２ａの縁部において立ち上がり内ケース１の周りを取り囲む周壁２ｂから構成されている。周壁２ｂの形状は、内ケース１の形状（平面形状）とほぼ同一の形状をなしており、収納空間Mを前後に挟んで向かい合う一対の前後壁部（図示の例では長辺側）２ｂ１、２ｂ２と、この前後壁部２ｂ１、２ｂ２を左右においてそれぞれ相互につなぐ一対の側壁部（図示の例では短辺側）２ｂ３、２ｂ４からなっている。外ケース２の周壁２ｂ（前後壁部２ｂ１、２ｂ２、側壁部２ｂ３、２ｂ４）には、内ケース１の揮散孔１ａを経た揮散成分を通過させて外界へと排出する複数の窓孔ｈが形成されている。側壁部２ｂ３、２ｂ４と、これに対面する内ケース１の外側壁との間には、好ましくは、該側壁部２ｂ３、２ｂ４の押し込みを許容する隙間（前後壁部２ｂ１、２ｂ２の弾性変形により後述する横リブが内ケース１の天壁から完全に退避できる程度の隙間に設定される。）が設けられる。
【００１７】
３は、外ケース２の周壁２ｂの上端に形成された上部開放端である。この上部開放端３によって内ケース２の出し入れ口を形成する開口部を形成する。４は、前後壁部２ｂ１、２ｂ２の上端に内向きに一体的に設けられた横向きの係止リブである。この係止リブ４は、上部開放端３の開口幅Wを部分的に狭めるためのものであり、例えば、外ケース２が反転姿勢におかれた場合であっても係止リブ４が内ケース１の天壁に連係（当接）して内ケース１の、外ケース２からの抜け出しを防止する抜け出し防止を防止する。係止リブ４と内ケース１の天壁との間には隙間があってもよいし、該係止リブ４が内ケース１の天壁に直接接触するものであってもよい。
【００１８】
上記の構成になる揮散剤容器においては、周壁２ｂを形成する前後壁部２ｂ１、２ｂ２が、図３に示すように、側壁部２ｂ３、２ｂ４の上端部における押し込みによって相互に離反する向き（外方）に弾性変形し、これにより上部開放端３の開放幅Wが拡げられる結果として係止リブ４の内ケース１の天壁での連係が解除されることとなり開口部を通して内ケース１の取り付け、取り外しが可能となる。
【００１９】
内ケース１の取り付け、取り外しに際しては、側壁部２ｂ３、２ｂ４を継続して押し込む必要があるが、内ケース１をセットし終えたのちにおいては、側壁部２ｂ３、２ｂ４の押し込みを止めるだけで前後壁部２ｂ１、２ｂ２は元の形状へと復元（上部開放端３の開放幅Wが元の寸法に戻る。）し係止リブ４が内ケース１の天壁に位置することとなるため内ケース１の、外ケース２からの抜け出しが不能となる。
【００２０】
図４は、本発明にしたがう揮散剤容器の他の実施の形態を示した図である。図における符号５は、前後壁部２ｂ１、２ｂ２と側壁部２ｂ３、２ｂ４との境界で、周壁２ａの上部開放端３から底壁２ａに向けて切り欠かれたスリットである。このスリット５により、前後壁部２ｂ１、２ｂ２と側壁部２ｂ３、２ｂ４との間には隙間ｔが形成されている。
【００２１】
また、６は、側壁部２ｂ３、２ｂ４の切欠端面上端部に一体的に設けられた楔部材である。この楔部材６は、その要部を拡大して図５に示す如く、内ケース１の外側壁に隙間を隔てて位置する内辺６ａと前後壁部２ｂ１、２ｂ２の内側壁部に当接する傾斜辺６ｂとを有する、先端先細り形状をなしている。
【００２２】
７は、前後壁部２ｂ１、２ｂ２に設けられた窓孔である。この窓孔７は、内ケース１の揮散孔１ａを経た揮散成分を通過させて外界へと排出するための貫通孔であり、スリット５及び係止リブ４に最も近接して設けられた逆U字状をなす長孔７ａと、この長孔７ａの内側に設けられたＵ字状をなす長孔７ｂと、この長孔７ｂの内側に設けられ、上端が長孔７ａにつながるＩ字状をなす長孔７ｃから構成されている。窓孔７を設けることにより内容物の揮散量を多くすることができる。
【００２３】
この例では、前後壁部２ｂ１、２ｂ２は、長孔７ａの外側に位置する門形（逆Ｕ字形状）の板状部材から構成され、その下端部の２箇所において一部分が固定されているにすぎないことから、より小さな力でもって弾性変形することとなる（係止リブ４を外方へ移動させやすくなる）。
【００２４】
上記の構成になる揮散剤容器において内ケース１の取替えを行うには、側壁部２ｂ３、２ｂ４を相互に近接する向きに押し込めばよく、これにより楔部材６が外ケース２との内側壁部に当接するとともに該楔部材６の傾斜辺６ｂによって前後壁部２ｂ１、２ｂ２が相互に離隔する向きに弾性変形していき、それとともに係止リブ４が外方へ向けて後退移動し該係止リブ４の、内ケース１の天面での連係が解除されて内ケース1の出し入れが可能となる。
【００２５】
かかる構成の揮散剤容器は、前後壁部２ｂ１、２ｂ２と側壁部２ｂ３、２ｂ４との間にはスリット５によって隙間ｔが形成されているため、側壁部２ｂ３、２ｂ４の押し込みが容易であり、内ケース１の取替えが楽に行える利点がある。係止リブ４については、図示したように前後壁部２ｂ１、２ｂ２の全長にわたって設けるようにしてもよく、この場合、前後壁部２ｂ１、２ｂ２の不用意な弾性変形によって内ケース１との連係が簡単に解除されることがなくなる。
【００２６】
外ケース２においては、前後壁部２ｂ１、２ｂ２にのみ窓孔ｈ、７を設けた場合について示したが、該窓孔ｈ、７については、側壁部２ｂ３、２ｂ４にも併せて設けるようにしてもよく、この点については限定されない。
【００２７】
外ケース２の側壁部２ｂ３、２ｂ４を押し易くし、かつ、容易に変形させることができるように該側壁部２ｂ３、２ｂ４の肉厚を薄くしておいてもよく、また、押圧力をより有効に作用させるため、押圧力を作用させる部位に、指当て用の目印や突起あるいは窪みを設けておくのが望ましい。
【００２８】
外ケース２の側壁部２ｂ３、２ｂ４に内容物の揮散成分を通過させる窓孔（形状は任意）を設けた場合においては、揮散量を増加させることができるだけでなくそれそのものの強度を小さくできるので肉厚を薄くする等の手立てを施さなくとも該側壁部２ｂ３、２ｂ４の容易な変形が可能となる。
【産業上の利用可能性】
【００２９】
簡単な操作のもとで内ケースの取替えを可能とする構造の簡素化された揮散剤容器が提供できる。
【符号の説明】
【００３０】
１      内ケース（内容器）
１ａ    揮散孔
１ｂ    フィルム
２      外ケース
２ａ    底壁
２ｂ    周壁
３      上部開放端
４      係止リブ
５      スリット
６      楔部材
６ａ    内辺
６ｂ    傾斜辺
７      窓孔
７ａ    長孔
７ｂ    長孔
７ｃ    長孔
M       収納空間
W       開口幅
ｔ      隙間
【図１】
0005384424.tif 000002
【図２】
0005384424.tif 000003
【図３】
0005384424.tif 000004
【図４】
0005384424.tif 000005
【図５】
0005384424.tif 000006